(57)【要約】【課題】  弦楽器を美的に展示するためのキャビネットに関する。【解決手段】  弦楽器（７０）の展示のためのキャビネット（１０）において、弦楽器は水平に向けられ、楽器のストラップボタン（７２）と係合する支持部によりキャビネット内の適所に保持される。この装置は選択的に壁に取り付け可能である。一実施例において、支持部はストラップボタンを受けるためのノッチ（３７）を有する角度付けされたブラケット(３０、３１)である。保護材料（４０）は、楽器表面の磨耗を避けるため、キャビネットの各支持部および内部表面に適用される。角度付けされたブラケットの方向は、楽器がキャビネット内で展示されるとき、ブラケットの可視輪郭が非常に小さくなるように設定される。
2005525190.tif 000002
【特許請求の範囲】
【請求項１】
複数のストラップボタンを有する弦楽器を展示するためのキャビネットにおいて、
平坦表面と周辺部を有する背部と；
複数の折曲げブラケットと；
を備え、各ブラケットは前記背部の平坦表面に取り付けられた第１足部、および前記平坦表面から外方向に伸び且つストラップボタンを受けるための支持部を有する第２足部を有し、
前記折曲げブラケットは前記ストラップボタンの少なくとも２つで前記楽器を支持することを特徴とするキャビネット。
【請求項２】
前記複数の折曲げブラケットの各第２足部は内部に形成され且つストラップボタン受けるような大きさのノッチを有することを特徴とする請求項１記載のキャビネット。
【請求項３】
前記折曲げブラケットは前記楽器を水平方向に支持することを特徴とする請求項１記載のキャビネット。
【請求項４】
少なくとも１つの折曲げブラケットに適用される非研磨材料をさらに備えることを特徴とする請求項１記載のキャビネット。
【請求項５】
前記非研磨材料がフェルトからなることを特徴とする請求項４記載のキャビネット。
【請求項６】
前記非研磨材料が少なくとも１つの弾性バンパーからなることを特徴とする請求項４記載のキャビネット。
【請求項７】
前記背部の平坦表面に適用された非研磨材料をさらに備えることを特徴とする請求項１記載のキャビネット。
【請求項８】
前記非研磨材料がフェルトからなることを特徴とする請求項７記載のキャビネット。
【請求項９】
前記背部の周辺部で前記背部に取り付けられた複数の側板をさらに有し、前記背部と前記側板がキャビネットボックスを形成することを特徴とする請求項１記載のキャビネット。
【請求項１０】
前記背部の先端端部で少なくとも一枚の側板に取り付けられた透明板をさらに備えることを特徴とする請求項９記載のキャビネット。
【請求項１１】
複数のストラップボタンを有する弦楽器を収納するためのキャビネットにおいて、
背部と複数の側部を有し、前記楽器を収納するためのキャビネットボックスであり、前記背部と側部の各々が前記キャビネットボックスの内部表面を累積的に形成する内部表面を有するキャビネットボックスと；
各々が前記コンテナの内部表面に搭載され且つ各々がストラップボタンを受けるための支持部を有する複数のハンガーと；
を備え、前記ハンガーが少なくとも２つのストラップボタンを介して楽器を支持することを特徴とするキャビネット。
【請求項１２】
各ハンガーは前記内部表面から外方向に伸びる強固バーをさらに備えることを特徴とする請求項１１記載のキャビネット。
【請求項１３】
各強固バーは内部に形成されたノッチを有し、前記ノッチはストラップボタンを受けるようなサイズに形成されていることを特徴とする請求項１２記載のキャビネット。
【請求項１４】
前記ハンガーは前記楽器を水平方向に支持することを特徴とする請求項１１記載のキャビネット。
【請求項１５】
少なくとも１つのハンガーに適用された非研磨材料をさらに備えることを特徴とする請求項１１記載のキャビネット。
【請求項１６】
前記非研磨材料がフェルトからなることを特徴とする請求項１５記載のキャビネット。
【請求項１７】
前記内部表面に適用された非研磨材料をさらに備えることを特徴とする請求項１１記載のキャビネット。
【請求項１８】
前記非研磨材料はフェルトからなることを特徴とする請求項１７記載のキャビネット。
【請求項１９】
前記背部の先端端部で少なくとも一枚の側板に取り付けられた透明板をさらに備えることを特徴とする請求項１１記載のキャビネット。
【発明の詳細な説明】
【技術分野】
【０００１】
本発明は全般的に弦楽器を展示するための装置に関する。特に、本発明は弦楽器を展示するためのキャビネットに関し、特に、ギターの展示のための吊りキャビネットに関する。
【背景技術】
【０００２】
収集家や音楽家のよく望んでいることは、美的に楽しめ、容易に手に取れ、しかも多くの楽器の硬いラッカー仕上げ表面の引っかき傷又は擦り傷のような楽器の損傷を確実に防止するように弦楽器を展示することである。このような展示装置の美しさの１つの手段は展示のために楽器を保持する場合展示装置の支持部が視覚的に目立たない度合いである。楽器の展示を見る人によく見える楽器支持構造物を有する展示装置は見物人に見えない楽器支持部を有する展示装置より美的に楽しめないと考えられる。これに対して、アクセスを容易にする１つの手段は展示装置内に楽器を設けたり除去したりするための取らなければならない個別の工程数である。弦楽器を水平方向に展示する事を望む収集家や音楽家の選択は以前より上記目的の少なくとも１つと妥協する装置間での選択に制限されていた。
【発明の開示】
【発明が解決しようとする課題】
【０００３】
例えば、ストラップボタンを有する電気ギターの展示において、ギターはギターに取り付けられたギターストラップにより吊るされ、壁に取り付けられた視覚的に目立たないハンガーから吊るすことができる。この方法は美的に楽しめるが、ストラップによりギターを吊るすことは問題がある。安定した展示が得られず、ギターが所望の展示位置からずれてしまう。更に、そのように展示されたギターを移動させる場合、もし壁のような近くの構造物と接触すると、ギターのラッカー仕上げ表面を傷つけてしまう。
【０００４】
ある装置はギターの胴体を掴む大型のクリップを用いてギターを水平展示位置に固定することにより楽器の意図しない動きの問題を解決した。このような装置は効果的にギターを固定するが、クランプの顕著な視認性および複雑さが展示の美しさおよび展示装置に収納された楽器に対するアクセスの容易さを損なう。他の展示装置は内部にギターが収容される１つ又は複数のクレードルを有するスタンド又はその均等物を採用している。吊り下がっているギターストラップより幾分安定であり、クランプを使用している装置よりよりアクセスの容易さを有しているが、クレードルのような特徴を採用している装置は展示の美しさを減じるほど視覚的に顕著である楽器支持物を持つ不都合を有している。
【０００５】
現在、美的に楽しめ且つ容易にアクセスでき、且つ楽器の損傷を確実に防止するように、ギターのような弦楽器を水平方向に収容しおよび展示するために適切なキャビネットを求める技術において需要がある。
【課題を解決するための手段】
【０００６】
本発明は弦楽器の展示のためのキャビネットを提供し、弦楽器は水平に向けられ、楽器のストラップボタンと係合する支持物によりキャビネット内で正しい位置に保持される。この装置は選択的に壁に取り付け可能である。
【０００７】
一実施例において、支持物はストラップボタンを受けるために形成され寸法決めされたノッチを有する折曲げブラケットである。保護材料は楽器表面の磨耗を回避するためキャビネットの各支持物および内部表面に適用される。折曲げブラケットの向きは楽器がキャビネット内に展示される場合ブラケットの可視輪郭が非常に小さくなるように設定される。同様に、楽器はブラケットの寸法決めされたノッチ内にストラップボタンを配置することによりしっかりと保持される。
【０００８】
したがって、本発明の目的は美的に楽しめるように弦楽器を保持するための展示キャビネットを提供することである。
【０００９】
本発明の更なる目的はアクセスが容易であるように弦楽器を保持するための展示キャビネットを提供することにある。
【００１０】
本発明の第３の目的は楽器の損傷を確実に防止するように弦楽器を保持するための展示キャビネットを提供することにある。
【００１１】
最終的に、本発明の目的は、美的に楽しめ、アクセスが容易であり、且つ楽器の損傷を確実に防止できるように、楽器のストラップボタンにより支持された水平方向の弦楽器を保持するための展示キャビネットを提供することである。
【００１２】
本発明の他の目的、更なる目的、特徴および利点は添付の図面と関連して以下の開示を読むことにより、当業者により容易に明らかになるであろう。
【発明を実施するための最良の形態】
【００１３】
図面、特に、図４を参照すると、楽器の胴体内に組込まれた２個のストラップボタン７２を有する典型的な弦楽器７０の前面シルエットが示される。少なくとも２つの埋め込まれたストラップボタン７２を有する弦楽器７０を収容し且つ展示するための本発明の装置は以下に記載されるキャビネットの箱内に水平方向のストラップボタン７２から楽器７０を吊り下げ且つ収納する特徴を持っている。
【００１４】
図１を参照すると、弦楽器を展示するためのキャビネットが示され、符号１０で全般的に指定される。本発明のキャビネット１０は表面２２と周辺部２４を有する背部２０を含む。少なくとも２つのハンガーが背部２０に取り付けられる。背部２０の表面２２の寸法と形状は展示されるべき所望の型の弦楽器７０が背部２０の周辺部２４内で水平方向に搭載できるように選択される。この実施例において、左端折曲げブラケット３０と右端折曲げブラケット３１をハンガーとして有するキャビネット１０が示される。折曲げブラケットは背部２０の表面２２に搭載された第１足部３４を有し、表面２２から外方向に伸びる第２足部３５を有する。各折曲げブラケットの第２足部３４が弦楽器７２のストラップボタン７２を受けるための支持部を形成する。
【００１５】
図２および図３を参照すると、図１のキャビネット１０の左折曲げブラケット３０と右折曲げブラケット３１がより詳細に示される。この実施例において、各折曲げブラケットの第２足部３５内に形成されたノッチ３７はストラップボタン７２を受けるための支持部からなる。各ノッチ３５は弦楽器のストラップボタン７２を確実に受け且つ保持するような寸法と形状である。再度図１を参照すると、弦楽器７０のストラップボタン７２を共に確実に受け且つ保持し且つ弦楽器７０を水平方向に展示するように背部２０に位置決めされ且つ搭載される左および右折曲げブラケット３０、３１が示される。
【００１６】
この実施例の一利点は折曲げブラケットのノッチがアクセスの容易さを提供することである。弦楽器７０は単一の工程で容易に各ノッチ３７に配置され且つから除去可能である。この実施例の他の利点は、弦楽器７０が、２つの組込まれたストラップボタン７２である、弦楽器７０上の２点で各ノッチ３７内に確実に保持されるように、折曲げブラケットのノッチが弦楽器７０に対する損傷を確実に防止するために備わっていることである。
【００１７】
キャビネット１０内に展示された弦楽器７０に対する損傷を防止するために、非研磨材料４０が弦楽器７０の硬いラッカー仕上げと接触するキャビネット１０の表面に適用される。図１、図２および図３を参照すると、フェルト４２が背部２０の表面２２に且つ左および右ブラケット３０、３１の各第２足部３５に適用される。また、弾性バンパー４４は左および右ブラケット３０、３１の各第１足部３４に適用される。フェルト４２と弾性バンパー４４は弦楽器７０を衝撃から和らげ、弦楽器７０の表面をキャビネット１０の硬い端部又は粗い表面と接触するのを防止する。
【００１８】
図６を参照すると、図１のキャビネット１０の変形実施例の詳細がここに示される。この変形実施例において、弦楽器７０のストラップボタン７２を支持するために利用される１つのハンガーは内部で形成され且つ背部２０の表面２２から外方向に伸びる強固バー３２であるように示される。この強固バー３３は任意の搭載板３３と共に示される。非研磨材料４０は弦楽器７０の表面を傷物にして且つ引っかき傷にするのを防止するため強固バー３３に適用される。
【００１９】
図１を再度参照すると、キャビネット１０はさらに展示された弦楽器７０を囲むためのキャビネットボックス１２から構成される。背部２０の周辺部２４で背部２０に取り付けられた複数のパネル６０を有するキャビネットボックス１２が示される。図１に図示される様なキャビネットボックス１２は電気ギターのような典型的な弦楽器７０を受けるように寸法決めされた矩形ボックスである。しかしながら、他の寸法と形状も利用可能である。キャビネットボックスの内部表面１４は背部２０とパネルの表面から構成される。このようなキャビネットボックス１２の内部表面は典型的な弦楽器７０の硬いラッカー仕上げを傷つけるので、非研磨材料４０はキャビネットボックス１２の内部表面１４に適用される。
【００２０】
背部２０の末端であるキャビネットボックス１２の端部６４に取り付けられたプレート５０を有する図１のキャビネット１０が示される。ここで示されるように、プレート５０は透明であり、キャビネットボックス１２の内部へのアクセスを容易にするためヒンジ５２により取り付けられる。プレートの組成および特性の多数の変形が利用可能である。例えば、プレート５０は木材のような高級家具材料から整えてはめ込み可能である。ヒンジ５２以外の結合手段が使用可能であり、プレート５０はパネル６０の先端端部６４以外の位置でキャビネットボックス１２に取り付け可能である。最終的に、プレート５０は、もし透明、半透明、又は不透明であれば、変更角度を有する領域に分割可能である。
【００２１】
上述したように、本発明のキャビネット１０内の展示のための典型的な弦楽器７０は電気ギターである。図４は組込まれたストラップボタン７２を有する典型的な弦楽器７０のシルエットを示す。図５は内部に展示された図４の典型的な弦楽器７０で図１のキャビネットの実施例を示す。キャビネット１０の左および右角度ブラケット３０、３１はストラップボタン７２を確実に受け且つ保持し、弦楽器７０を水平方向に展示する。
【００２２】
図５は図１に実施された本発明のキャビネットの第３の利点を例示している。図５のギターの胴体は右および左角度ブラケット３０、３１の各々の第１足部３４を観察者の視界から隠す。右および左角度ブラケット３０、３１の各々の第２足部３５は「真向き」の視野から観察され、ギターの正面を覆わない。これらの視覚特徴は支持構造物が視覚的に目立たないように美的に楽しませる展示手段を提供する。
【００２３】
図１から図５を参照すると、この実施例は美的に楽しめ、アクセスが容易であり、楽器に対する損傷を確実に防止するように、弦楽器を保持するための展示キャビネットを開示している。このように、本発明が記載され且つそこで特有である目的と利点を容易に達成することが理解される。本発明のある好ましい実施例が開示の目的のために例示され且つ記述されたが、部品および工程において多数の変更が当業者により可能であり、変更は添付の特許請求の範囲に規定されるように本発明の範囲および精神の範囲内に包含される。
【図面の簡単な説明】
【００２４】
【図１】図１は本発明のキャビネットの前面斜視図である。
【図２】図２は図１のキャビネットの左ブラケットの拡大図である。
【図３】図３は図１のキャビネットの右ブラケットの拡大図である。
【図４】図４は図１のキャビネット内で支持される代表的な弦楽器である、ギターの前面シルエットである。
【図５】図５は図１のキャビネット内で水平に取り付けられた図４のギターの前面図である。
【図６】図６は、キャビネットハンガーの変形実施例を示す、図１のキャビネットの拡大図である。
【符号の説明】
【００２５】
１０    キャビネット
３０、３１    折曲げブラケット
３７    ノッチ
４０    保護材料
７０    弦楽器
７２    ストラップボタン
【図１】
2005525190.tif 000003
【図２】
2005525190.tif 000004
【図３】
2005525190.tif 000005
【図４】
2005525190.tif 000006
【図５】
2005525190.tif 000007
【図６】
2005525190.tif 000008
【国際調査報告】
2005525190.tif 000009